(57)【要約】【課題】本発明は液体微粒化装置とそれを用いたサウナ装置に関するもので、非微粒化液体の排出のための配管施工を解消することを目的とするものである。【解決手段】そしてこの目的を達成するために本発明は、給気口６と排気口７を有する本体ケース８と、この本体ケース８内の前記給気口６と排気口７を結ぶ通気路９中に設けた送風機１０、および液体微粒化手段１１とを備え、前記液体微粒化手段１１は、受皿１９と、この受皿１９中の液体をノズル２０に供給するポンプ２１と、前記ノズル２０から噴出された液体の内、非微粒化液体を前記受皿１９に回収する回収手段２２とを有し、前記受皿１９内の液体を回収する排水皿２３を設け、この排水皿２３は、前記本体ケース８外に取出し自在な構成とした。【選択図】図３
2009226102.tif 000002
【特許請求の範囲】
【請求項１】
給気口と排気口を有する本体ケースと、この本体ケース内の前記給気口と排気口を結ぶ通気路中に設けた液体微粒化手段、および送風機とを備え、前記液体微粒化手段は、受皿と、この受皿中の液体をノズルに供給するポンプと、前記ノズルから噴出された液体の内、非微粒化液体を前記受皿に回収する回収手段とを有し、前記受皿内の液体を回収する排水皿を設け、この排水皿は、前記本体ケース外に取出し自在な構成とした液体微粒化装置。
【請求項２】
受皿には所定液量供給手段を設けた請求項１に記載の液体微粒化装置。
【請求項３】
受皿の下方に排水皿を設けた請求項１または２に記載の液体微粒化装置。
【請求項４】
受皿には、その一端側を下降させる下降手段を設けた請求項３に記載の液体微粒化装置。
【請求項５】
排水皿には上下動支持手段を設けた請求項１〜４のいずれか一つに記載の液体微粒化装置。
【請求項６】
排水皿は、上下動支持手段に着脱自在にとりつけた請求項５に記載の液体微粒化装置。
【請求項７】
本体ケースの下面には、排水皿の取出口を設け、この取出口は開閉自在な蓋で覆った請求項１〜６のいずれか一つに記載の液体微粒化装置。
【請求項８】
取出口の蓋には、ロック機構を設けた請求項７に記載の液体微粒化装置。
【請求項９】
ロック機構は、排水皿中の液体温度が所定値以下の時に解除する構成とした請求項８に記載の液体微粒化装置。
【請求項１０】
本体ケース内の給気口と排気口を結ぶ通気路中に、給気口側にから排気口に向けて順次送風機、液体微粒化手段を設けるとともに、前記液体微粒化手段から排気口までの通気路中に風路切替ダンパを設け、この風路切替ダンパで液体微粒化手段から排気口までの通気路を閉鎖した場合、液体微粒化手段通過後の送風は排水皿部分に送られる構成とした請求項１〜９のいずれか一つに記載の液体微粒化装置。
【請求項１１】
排水皿部分には排気ダクトを連結し、この排気ダクトは、開閉ダンパで覆い、この開閉ダンパは、液体微粒化手段から排気口までの通気路を風路切替ダンパで閉鎖した場合に、排気ダクトを開放する構成とした請求項１０に記載の液体微粒化装置。
【請求項１２】
請求項１〜１１のいずれか一つに記載の液体微粒化装置の給気口と排気口を、サウナ室に連結したサウナ装置。
【発明の詳細な説明】
【技術分野】
【０００１】
本発明は、液体微粒化装置とそれを用いたサウナ装置に関するものである。
【背景技術】
【０００２】
例えば、サウナ装置に用いられる液体微粒化装置の構成は次のようになっていた。
【０００３】
すなわち、給気口と排気口を有する本体ケースと、この本体ケース内の前記給気口と排気口を結ぶ通気路中に設けた液体微粒化手段、および送風機とを備え、前記液体微粒化手段は、ノズルから液体を噴出する構成となっていた（例えば、特許文献１参照）。
【特許文献１】特開平６−６３１０３号公報
【発明の開示】
【発明が解決しようとする課題】
【０００４】
上記従来例で課題となるのは、ノズルから噴出された液体の内、非微粒化液体の排出のための配管をサウナ室に施工しなければならず、施工作業が煩雑になるということであった。
【０００５】
すなわち、ノズルから液体を噴出して液体を微量化するタイプのものでは、大量の非微粒化液体も発生してしまうので、その処理のためにサウナ室に配管を延長し、この非微粒化液体をサウナ室に排出するようになっている。
【０００６】
この場合、排出する非微粒化液体の液量が非常に多いいので、配管径も大きくなり、このように大径の配管をサウナ室に美観的に施工するのは非常に煩雑な作業となるのであった。
【０００７】
そこで本発明は、非微粒化液体の排出のための配管施工を解消することを目的とするものである。
【課題を解決するための手段】
【０００８】
そしてこの目的を達成するために本発明は、給気口と排気口を有する本体ケースと、この本体ケース内の前記給気口と排気口を結ぶ通気路中に設けた液体微粒化手段、および送風機とを備え、前記液体微粒化手段は、受皿と、この受皿中の液体をノズルに供給するポンプと、前記ノズルから噴出された液体の内、非微粒化液体を前記受皿に回収する回収手段とを有し、前記受皿内の液体を回収する排水皿を設け、この排水皿は、前記本体ケース外に取出し自在な構成とし、これにより初期の目的を達成するものである。
【発明の効果】
【０００９】
以上のごとく本発明は、給気口と排気口を有する本体ケースと、この本体ケース内の前記給気口と排気口を結ぶ通気路中に設けた液体微粒化手段、および送風機とを備え、前記液体微粒化手段は、受皿と、この受皿中の液体をノズルに供給するポンプと、前記ノズルから噴出された液体の内、非微粒化液体を前記受皿に回収する回収手段とを有し、前記受皿内の液体を回収する排水皿を設け、この排水皿は、前記本体ケース外に取出し自在な構成としたものであるので、非微粒化液体の排出のための配管施工を解消することができる。
【００１０】
すなわち、上記構成とすれば、ノズルから液体を噴出することで液体の微粒化が行え、この微粒化された液体は排気口から本体ケース外に供給することが出来る。
【００１１】
また、ノズルから噴出された液体の内、非微粒化液体は回収手段を介して受皿に回収し、次にこの受皿内の液体はポンプを介してノズルへと循環させることが出来るので、大量の非微粒化液体が発生することはない。
【００１２】
さらに、非微粒化運転終了時には、受皿に溜まった少量の非微粒化液体を排水皿に回収するのであるが、この排水皿は、本体ケース外に取出し自在な構成としたものであるので、排水皿に溜まった非微粒化液体は適宜本体ケース外へと排出することができ、このように構成した結果として非微粒化液体の排出のための配管施工を解消することができるのである。
【発明を実施するための最良の形態】
【００１３】
以下本発明の一実施形態の液体微粒化装置を、サウナ装置に適用したものを、添付図面を用いて説明する。
【００１４】
図１において、サウナ室１は箱状で、前面には扉２が開閉自在に設けられており、内部には浴槽３が設置されている。
【００１５】
また、サウナ室１の天井４上には液体微粒化装置５が設置されている。
【００１６】
この液体微粒化装置５は図２〜図４に示すように、給気口６と排気口７を有する本体ケース８を備えており、前記給気口６は天井４の吸気口（図示せず）に連結され、また排気口７は天井４の突出口（図示せず）に連結されている。
【００１７】
すなわち、あとで詳しく説明するが、サウナ室１内の空気を天井４の吸気口（図示せず）、給気口６を介して液体微粒化装置５内に吸引し、ここで加熱するとともに、加湿し、高温、高湿の空気を、排気口７を介し、天井４の突出口（図示せず）からサウナ室１内に供給する構成となっている。
【００１８】
また、本体ケース８内の前記給気口６と排気口７を結ぶ通気路９中には、２台の送風機１０と、２台の液体微粒化手段１１を、送風の風上側から風下側に順次配置している。
【００１９】
送風機１０は、ケーシング１２内にファン１３を設けたもので、ケーシング１２の吸気口１４と給気口６間には、温水熱交換器１５が配置されている。
【００２０】
また、この送風機１０のケーシング１２の突出口１６は、液体微粒化手段１１を構成するケーシング１７の開口１８に連結されている。
【００２１】
前記液体微粒化手段１１は、上記ケーシング１７内の受皿１９と、この受皿１９中の液体（水）をノズル２０に供給するポンプ２１と、前記ノズル２０から噴出された液体（水）の内、非微粒化液体を前記受皿１９に回収する回収手段２２とを有している。
【００２２】
回収手段２２は、ノズル２０からの液体（水）を衝突させることにより微粒化する面も兼ねており、この時に微粒化できなかった多くの液体（水）、つまり非微粒化液体は、この回収手段２２の傾斜壁面によって上記受皿１９に回収されるようになっている。
【００２３】
受皿１９には図示していないが、所定液量供給手段を介して液体（水）が供給されるようになっており、これにより定量に保持された受皿１９内の液体（水）がポンプ２１を介してノズル２０に供給され、上述のごとく液体（水）の微粒化が行われる。
【００２４】
そしてこのように微粒化された液体（水）は上記送風機１０のファン１３により供給される温風（温水熱交換器１５外周通過時に温風となっている）に搬送され、このようにして高温、高湿となった空気が上述のごとく排気口７を介し、天井４の突出口（図示せず）からサウナ室１内に供給される構成となっているのである。
【００２５】
さて、上記受皿１９の下方には、この受皿１９の容積の６倍程度の大きさの排水皿２３を設けおり、また上記受皿１９には、その一端側を図５のごとく下降させる下降手段（図示せず）を設けている。
【００２６】
つまり、この下降手段は、一人ずつのサウナ運転終了毎に上記受皿１９の一端側を図５のごとく下降させ、そこに残っていた液体（水）を排水皿２３内に排出するようになっているのである。
【００２７】
勿論この受皿１９からの排水皿２３への液体（水）の排出時には、受皿１９内への所定液量供給手段を介して液体（水）供給、およびポンプ２１を介してのノズル２０への液体（水）供給は停止されている。
【００２８】
排水皿２３の容量は、上述のごとく受皿１９の容積の６倍程度の大きさにしているので、一日で５人サウナをそれぞれ３０分程度使用した場合でも、この排水皿２３が満水と成ることは無いが、図示していない水位検知センサにより、排水皿２３内の水位が所定値をこえたことが検知されると、サウナ室１内に設けた表示装置（図示せず）により、排水指示が発せられる。
【００２９】
この時の排水を行うために、排水皿２３の両側に、図６、図７のごとく上下動支持手段２４を設けている。
【００３０】
また、排水皿２３は、上下動支持手段２４のホルダー２５により、図７のごとく着脱自在にとりつけられており、排水皿２３からの排水時には、この排水皿２３をこの図７のごとくホルダー２５から取り外し、作業を行う。
【００３１】
さらに、このような排水皿２３からの排水作業を行う時には、図８のごとく本体ケース８の下面に設けた取出口２６の蓋２７を開放し、上下動支持手段２４を図９のごとくサウナ室１内に下降させ、この状態で上述のごとく排水皿２３を図７のごとくホルダー２５から取り外し、作業を行う。
【００３２】
なお、取出口２６に設けたは開閉自在な蓋２７には、図示していないが、ロック機構を設けており、このロック機構は、排水皿２３中の液体温度が所定値以下の時に解除する構成とし、安全性を高めている。
【００３３】
また、前記液体微粒化手段１１から排気口７までの通気路中には、図４のごとく、サウナ運転終了に伴い液体微粒化手段１１から排気口７までの通気路を閉鎖する風路切替ダンパ２８を設けており、サウナ運転の終了に伴い、この風路切替ダンパ２８でこの図４のごとく液体微粒化手段１１から排気口７までの通気路を閉鎖した場合、ファン１３からの送風は、液体微粒化手段１１通過後排水皿２３部分に送られる構成としている。
【００３４】
つまり、排水皿２３内の貯留水を出来るだけ少なくし、上記排水作業を少なくするために、このサウナ運転終了時には、排水皿２３部分の乾燥工程を設けており、この時の湿気を屋外に放出するために、排水皿２３部分には排気ダクト（図示せず）を連結し、この排気ダクトは、開閉ダンパ（図示せず）で覆い、この開閉ダンパは、液体微粒化手段１１から排気口７までの通気路を風路切替ダンパ２８で閉鎖した場合（つまりサウナ運転終了時）に、排気ダクトを開放する構成としている。
【００３５】
また、排水皿２３内の貯留水が殆どなくなるまで乾燥工程を行った場合には、排水作業は必要ないが、排水皿２３内に貯まった、水に含まれるＣａやＭｇ等のスケールを洗浄、除去するために排水皿２３を本体ケース８外に取出す作業は必要となる。
【００３６】
しかしこの場合、排水皿２３を本体ケース８外に取出す作業の間隔を、上記排水作業より長くでき、省メンテとなる。
【００３７】
以上のごとく、本実施形態によれば、受皿１９内の液体（水）を回収する排水皿２３を設け、この排水皿２３は、本体ケース８外に取出し自在な構成としたものであるので、非微粒化液体の排出のための配管施工をサウナ室１内に設ける必要が無く、設置作業性の良いものと成る。
【産業上の利用可能性】
【００３８】
以上のごとく本発明は、給気口と排気口を有する本体ケースと、この本体ケース内の前記給気口と排気口を結ぶ通気路中に設けた液体微粒化手段、および送風機とを備え、前記液体微粒化手段は、受皿と、この受皿中の液体をノズルに供給するポンプと、前記ノズルから噴出された液体の内、非微粒化液体を前記受皿に回収する回収手段とを有し、前記受皿内の液体を回収する排水皿を設け、この排水皿は、前記本体ケース外に取出し自在な構成としたものであるので、非微粒化液体の排出のための配管施工を解消することができる。
【００３９】
すなわち、上記構成とすれば、ノズルから液体を噴出することで液体の微粒化が行え、この微粒化された液体は排気口から本体ケース外に供給することが出来る。
【００４０】
また、ノズルから噴出された液体の内、非微粒化液体は回収手段を介して受皿に回収し、次にこの受皿内の液体はポンプを介してノズルへと循環させることが出来るので、大量の非微粒化液体が発生することはない。
【００４１】
さらに、非微粒化運転終了時には、受皿に溜まった少量の非微粒化液体を排水皿に回収するのであるが、この排水皿は、本体ケース外に取出し自在な構成としたものであるので、排水皿に溜まった非微粒化液体は適宜本体ケース外へと排出することができ、このように構成した結果として非微粒化液体の排出のための配管施工を解消することができるのである。
【００４２】
したがって、広くサウナ装置に活用されることになる。
【図面の簡単な説明】
【００４３】
【図１】本発明の一実施形態の液体微粒化装置を、サウナ装置に適用した斜視図
【図２】同液体微粒化装置の斜視図
【図３】同液体微粒化装置の断面図
【図４】同液体微粒化装置の断面図
【図５】同液体微粒化装置の断面図
【図６】同液体微粒化装置の断面図
【図７】同液体微粒化装置の斜視図
【図８】同液体微粒化装置の斜視図
【図９】本発明の一実施形態の液体微粒化装置を、サウナ装置に適用した斜視図
【符号の説明】
【００４４】
１    サウナ室
２    扉
３    浴槽
４    天井
５    液体微粒化装置
６    給気口
７    排気口
８    本体ケース
９    通気路
１０  送風機
１１  液体微粒化手段
１２  ケーシング
１３  ファン
１４  吸気口
１５  温水熱交換器
１６  突出口
１７  ケーシング
１８  開口
１９  受皿
２０  ノズル
２１  ポンプ
２２  回収手段
２３  排水皿
２４  上下動支持手段
２５  ホルダー
２６  取出口
２７  蓋
２８  風路切替ダンパ
【図１】
2009226102.tif 000003
【図２】
2009226102.tif 000004
【図３】
2009226102.tif 000005
【図４】
2009226102.tif 000006
【図５】
2009226102.tif 000007
【図６】
2009226102.tif 000008
【図７】
2009226102.tif 000009
【図８】
2009226102.tif 000010
【図９】
2009226102.tif 000011